(57)【要約】【課題】  病院内の手術室において、ＮＷカメラのような撮影装置で取得した映像を、病院内関係者が医療情報端末を用いて閲覧可能となる医療用画像管理システムを提供することを目的とする。【解決手段】  撮影装置で撮影された病院内の第一の画像データから、データサイズの小さい第二の画像データを生成して、第一のネットワークから第二のネットワークへ送信することで、第二のネットワークに接続した情報端末で第二の画像データを閲覧可能となる、医療用画像管理システム。【選択図】  図２
2017192043.tif 000002
【特許請求の範囲】
【請求項１】
撮影装置で撮影された病院内の第一の画像データを、第一のネットワークを介して受信する第一の受信手段と、
前記第一の受信手段で受信された第一の画像データから、第二の画像データを生成させる生成手段と、
前記生成手段で生成した第二の画像データを送信する第一の送信手段と、
前記第一の送信手段によって送信された前記第二の画像データを、第二のネットワークを介して受信する第二の受信手段と、
前記第二の受信手段で受信された前記第二の映像データを前記第二のネットワークを介して、前記第二の映像データを閲覧可能な情報端末に送信する第二の送信手段と、
を有する医療用画像管理システムであって、
前記第二の画像データは、前記第一の画像データよりもデータサイズが小さいことを特徴とする医療用画像管理システム。
【請求項２】
前記第一の画像データは動画像データであり、前記第二の画像データは前記動画像データの一部を構成する静止画像データであることを特徴とする請求項１に記載の医療用画像管理システム。
【請求項３】
前記医療用画像管理システムはさらに、前記第一の画像データを記憶する第一の記憶手段を有することを特徴とする請求項１または２に記載の医療用画像管理システム。
【請求項４】
前記第一の記憶手段で記憶されてから所定の時間以上経過した前記第一の画像データを、
前記第一の記憶手段から削除する処理を行う第一の削除手段を有することを特徴とする請求項３に記載の医療用画像管理システム。
【請求項５】
前記医療用画像管理システムはさらに、前記第二の画像データを記憶する第二の記憶手段を有することを特徴とする請求項１乃至４のいずれか一項に記載の医療用画像管理システム。
【請求項６】
前記第二の記憶手段で記憶されてから所定の時間以上経過した前記第二の画像データを、
前記第二の記憶手段から削除する処理を行う第二の削除手段を有することを特徴とする請求項５に記載の医療用画像管理システム。
【請求項７】
前記第二の記憶手段で記憶されている前記第二の画像データの容量が一定となるように制御する容量制御手段を有することを特徴とする請求項１乃至６のいずれか一項に記載の医療用画像管理システム。
【請求項８】
前記撮影装置はネットワークカメラであることを特徴とする請求項１乃至７のいずれか一項に記載の医療用画像管理システム。
【請求項９】
前記撮影装置は手術室の全景である術場を撮影する装置であることを特徴とする請求項１乃至８のいずれか一項に記載の医療用画像管理システム。
【請求項１０】
前記撮影装置は手術の部位である術野を撮影する装置であることを特徴とする請求項１乃至８のいずれか一項に記載の医療用画像管理システム。
【請求項１１】
前記第二の送信手段は、前記第二の画像データを第三のネットワークを介して外部記憶装置に送信することを特徴とする請求項１乃至１０のいずれか一項に記載の医療用画像管理システム。
【請求項１２】
前記第二の送信手段による、前記外部記憶装置への、前記第二の画像データの送信は、夜間に行われることを特徴とする請求項１１に記載の医療用画像管理システム。
【請求項１３】
前記第一の送信手段は、前記第一の画像データを第四のネットワークを介して外部記憶装置に送信することを特徴とする請求項１乃至１０のいずれか一項に記載の医療用画像管理システム。
【請求項１４】
前記第二の映像データには、前記撮影装置の撮影対象である患者に関する情報がメタデータとして含まれていることを特徴とする請求項１乃至１３のいずれか一項に記載の医療用画像管理システム。
【請求項１５】
前記患者に関する情報が患者ＩＤ、撮影が行われている手術室名、手術担当医名、手術の経過時間、手術状況に関する情報の少なくともいずれかを含むことを特徴とする請求項１４に記載の医療用画像管理システム。
【請求項１６】
手術室の状況に関する情報を表示可能な表示装置であって、
手術室の状況に関する情報を取得する取得手段と、
前記情報の前記表示装置への表示を制御する表示制御手段と、を有し、
前記手術室に関する情報は、手術室の部屋名、手術の担当医、手術の担当診療科、手術する患者名、手術の経過時間、及び手術の状況に関する情報である表示装置。
【請求項１７】
前記手術の状況に関する情報は、手術中、手術終了までの残り時間、手術準備中、片付け中の何れかである請求項１６に記載の表示装置。
【発明の詳細な説明】
【技術分野】
【０００１】
本発明は、病院内の映像配信や映像記録に用いられる医療用画像管理システム、表示システム、及び表示装置に関する。
【背景技術】
【０００２】
ネットワークカメラ（Ｎｅｔｗｏｒｋカメラ、以下ＮＷカメラ）を用いることで、ＩＰ（Ｉｎｔｅｒｎｅｔ  Ｐｒｏｔｏｃｏｌ）通信でＬＡＮ（ローカルエリアネットワーク、Ｌｏｃａｌ  Ａｒｅａ  Ｎｅｔｗｏｒｋ）または公衆インターネット回線を通じて簡易に動画像の撮影や記録や配信が可能になる。
ここで、病院内にはＩＰネットワークとして、病院内映像信号ＬＡＮと、医療情報端末等が接続される病院内基幹情報ＬＡＮが存在する。手術室等の医療現場においては、手術の進捗状況をモニタリングするために病院内映像信号ＬＡＮにＮＷカメラを接続し、手術室全景（術場）の映像配信や映像記録をし、手術部位（術野）の映像配信や映像記録をする。一方、医療情報端末等が接続される病院内基幹情報ＬＡＮでは、ＣＴ、ＭＲＩ等で撮影された医療用画像が、病院内基幹情報ＬＡＮに接続された医療用画像管理システムに保管され、必要に応じて閲覧される。
【０００３】
病院内の医療関係者は、医療情報端末等を用いて、病院内映像信号ＬＡＮを介した手術室内の映像配信を視聴することで、手術の進行状況の把握を行っている（特許文献１、非特許文献１，２）。
【先行技術文献】
【特許文献】
【０００４】
【特許文献１】特開２０１２−１０５７１３
【非特許文献】
【０００５】
【非特許文献１】酒井順哉、大山満：手術室におけるマルチメディア・コミュニケーションの開発とその評価、手術部医学、１１（３）  ３４８−３５５、１９９０
【非特許文献２】酒井順哉、総合手術情報コミュニケーションシステムの運用評価、映像情報  Ｍｅｄｉｃａｌ、２２（２０）  １１８２−１１８７、１９９０
【発明の概要】
【発明が解決しようとする課題】
【０００６】
しかしながら、ＮＷカメラの映像データを、医療情報端末等が接続される病院内基幹情報ＬＡＮに直接接続すると、映像配信にネットワークの帯域の大半を占有してしまい病院業務時間に診療業務に深刻な影響がでる可能性がある。そのため、ＮＷカメラの映像を、病院内基幹情報ＬＡＮを用いて配信することは困難であるという課題があった。本発明は、上記の課題に鑑みてなされたものであり、病院内の手術室において、ＮＷカメラのような撮影装置で取得した映像を、病院内関係者が医療情報端末を用いて閲覧可能となる医療用画像管理システムを提供することを目的とする。
【課題を解決するための手段】
【０００７】
本発明に係る医療用画像管理システムは、撮影装置で撮影された病院内の第一の画像データを、第一のネットワークを介して受信する第一の受信手段と、前記第一の受信手段で受信された第一の画像データから、第二の画像データを生成させる生成手段と、前記生成手段で生成した第二の画像データを送信する第一の送信手段と、前記第一の送信手段によって送信された前記第二の画像データを、第二のネットワークを介して受信する第二の受信手段と、前記第二の受信手段で受信された前記第二の映像データを前記第二のネットワークを介して、前記第二の映像データを閲覧可能な情報端末に送信する第二の送信手段と、
を有する医療用画像管理システムであって、前記第二の画像データは、前記第一の画像データよりもデータサイズが小さいことを特徴とする。
【発明の効果】
【０００８】
本発明に係る医療画像管理システムによれば、ＮＷカメラのような撮影装置で取得したサイズの大きい動画像データを、よりサイズの小さい静止画像データに変換した上で、病院内関係者が使用する医療情報端末が接続した院内ネットワークを介して配信する。このようなシステムによって、院内ネットワークに大きな負担がかからないため、病院内関係者は、病院内の手術室の映像を閲覧することが可能となる。
【図面の簡単な説明】
【０００９】
【図１】実施例１に係る医療用画像管理システムの機能構成を示す図
【図２】実施例１に係る医療用画像管理システムと接続される機器の構成を示す図
【図３】実施例１に係る医療用画像管理システムの手術状況表示例とその遷移を示す模式図
【図４】実施例１に係る実施例における医療用画像管理システムで表示される手術の状況を説明する表
【図５】実施例１に係る医療用画像管理システムの手術室状況表示画面の表示例を示す模式図
【図６】実施例１に係る医療用画像管理システムの複数手術室タイル表示画面の表示例を示す模式図
【図７】実施例１に係る医療用画像管理システムの手術室モニタ表示画面の表示例を示す模式図
【図８】実施例１に係る医療用画像管理システムの処理手順を示すフローチャート
【図９】実施例１に係る医療用画像管理システムの各手術室に設置されたＮＷ術場カメラ画像出力を病院内基幹情報ＬＡＮに接続された医療情報端末で映像配信を視聴する機能の処理手順を示すフローチャート
【図１０】実施例１に係る手術室の状況遷移を示すフローチャート
【図１１】実施例１に係る手術状況情報ストレージに格納される手術状況情報の構成例
【図１２】実施例１に係る患者情報ストレージに格納される患者情報のデータテーブル構成例
【図１３】実施例１に係る医療用画像管理システムの医療用画像表示例
【図１４】実施例１に係る医療用画像管理システムの患者情報ストレージに格納される患者情報のデータのうちＮＷカメラメタデータの構成例
【図１５】実施例１に係る医療用画像管理システムの手術室モニタ表示画面の表示例
【図１６】実施例１に係る医療用画像管理システムの手術室モニタ表示画面の表示例
【図１７】実施例１に係る医療用画像管理システムの手術室モニタ表示画面の表示例
【図１８】実施例１に係る医療用画像管理システムの手術室モニタ表示画面の表示例
【図１９】実施例１に係る医療用画像管理システムの手術室モニタ表示画面の表示例
【図２０】実施例１に係る医療用画像管理システムの医療用画像表示例
【図２１】実施例１に係る医療用画像管理システムの定期自動映像記録保存および削除処理手順を示すフローチャート
【図２２】実施例１に係る医療用画像管理システムの映像記録の参照処理手順を示すフローチャート
【図２３】実施例２に係る医療用画像管理システムの手術室モニタ表示画面の表示例
【図２４】実施例２に係る医療用画像管理システムの手術室モニタ表示画面の表示例
【発明を実施するための形態】
【００１０】
以下、本発明の実施形態について説明する。ただし、以下の記述は、本実施形態に係る医療用画像管理システムの一例であり、本発明はこれに限定されるものではない。
【００１１】
まず、本発明の実施形態に係る医療用画像管理システムについて図１、２を用いて説明する。
【００１２】
本実施形態に係る医療用画像管理システムは、ネットワークカメラ（ＮＷカメラ）のような撮影装置で撮影された病院内の出術室の全景である術場や、手術を行う部位である術野に映像データを取り扱うシステムに関する。具体的には、撮影装置で撮影して得られた映像である、第一の画像データ（動画像データ）を、第一のネットワーク（病院内映像信号ＬＡＮ１０５）を介して受信する第一の受信手段（ＮＷカメラ映像受信部２０１）と、第一の受信手段で受信された第一の画像データから、第二の画像データ（静止画像データ）を生成させる生成手段（配信用静止画像作成送信部２０１）を有する。そして、生成手段で生成した第二の画像データを送信する第一の送信手段（配信用静止画像作成送信部２０１）と、第一の送信手段によって送信された第二の画像データを、第二のネットワーク（病院内基幹情報ＬＡＮ１０１）を介して受信する第二の受信手段（配信用静止画像受信部２０６）と、第二の受信手段で受信された第二の映像データを第二のネットワークを介して、第二の映像データを閲覧可能な情報端末（医療情報端末１０３）に送信する第二の送信手段（配信用画像配信部２０８）を有する。
【００１３】
そして、第二の画像データは、第一の画像データよりもデータサイズが小さいことを特徴とする。典型的には第一の画像データは動画像データであり、第二の画像データは前記動画像データの一部を構成する静止画像データである。静止画像データは、例えば、動画像データのうち、１秒毎に取得される静止画像データや、動画像データの解像度を落としてデータサイズを小さくしたものも用いることができる。
【００１４】
また、本実施形態に係る医療用画像管理システムはさらに、第一の画像データを記憶する第一の記憶手段（映像記録ストレージ２０５）を有していてもよい。第一の記憶手段があることで、手術中の術野や術場に関する映像を記憶し、該映像を後で閲覧することができる。但し、第一の記憶手段の記憶容量にも限界があるため、第一の記憶手段で記憶されてから所定の時間以上経過した第一の画像データを、第一の記憶手段から削除する処理を行う第一の削除手段を有していてもよい。例えば、第一の削除手段は、第一の画像データが第一の記憶手段に記憶されて１００日以上経過したデータを削除するように構成されている。
【００１５】
また、医療用画像管理システムはさらに、第二の画像データを記憶する第二の記憶手段（院内映像記録ストレージ２１２）を有していてもよい。但し、第二の記憶手段の記憶容量にも限界があるため、第二の記憶手段で記憶されてから所定の時間以上経過した第二の画像データを、第二の記憶手段から削除する処理を行う第二の削除手段を有していてもよい。例えば、第二の削除手段は、第二の画像データが第二の記憶手段に記憶されて１００秒以上経過したデータを削除するように構成されている。また、第二の記憶手段の容量は第一の記憶手段に比べて大きくないことが一般的なため、記憶されている第二の画像データの容量が一定となるように制御する容量制御手段を有していてもよい。
【００１６】
また、第二の送信手段は、第二の画像データを第三のネットワーク（インターネット回線１１０）を介して外部記憶装置（クラウド映像記録ストレージ２１６）に送信してもよい。第二の画像データは、外部記憶装置に記憶し、医療用画像管理クラウドシステム１０９で管理される。また、第二の送信手段による、外部記憶装置への、第二の画像データの送信は、病院の通常業務時間（例えば、夜間）に行われることが好ましい。
【００１７】
また、第一の送信手段は、第一の画像データを第四のネットワークを介して外部記憶装置に送信して、が部記憶装置に記憶させてもよい。
また、第二の映像データには、撮影装置の撮影対象である患者に関する情報がメタデータとして含まれている。患者に関する情報は、例えば、患者ＩＤ、撮影が行われている手術室名、手術担当医名、手術の経過時間、手術状況に関する情報の少なくともいずれかである。
【００１８】
ネットワークカメラの画像出力は、フルＨＤ規格３０ｆｐｓの圧縮した映像配信であっても、一台あたり例えば８ＭＢ／ｂｐｓのデータ量が発生する。例えば多数のネットワークカメラの画像出力を、医療情報端末等が接続される病院内基幹情報ＬＡＮに直接接続すると、映像配信にネットワークの帯域の大半を占有してしまい病院業務時間に診療業務に深刻な影響がでるため、医療情報端末で映像配信を視聴することはできない。
【００１９】
また、例えば多数のネットワークカメラの画像出力を、医療情報端末等が接続される病院内基幹情報ＬＡＮに直接接続して、病院内基幹情報ＬＡＮに接続された医療用画像管理システムに、例えば手術室準備開始、手術の開始、手術の終了、手術室片付け終了の時間情報を付加した形式で、手術室全景（術場）の映像記録や手術部位（術野）の映像記録を行うことは、前掲のネットワークの負荷の問題からできない。
【００２０】
そこで、上記の通り、病院内映像信号ＬＡＮ  で通信しているサイズの大きい動画像データを小さくして、病院内基幹情報ＬＡＮで通信させるようなシステムとすることで、医療情報端末で映像配信を視聴することが可能となる。
【００２１】
ＮＷカメラの映像を、病院内基幹情報ＬＡＮに接続された医療情報端末で映像配信を視聴することができるだけなく、病院内基幹情報ＬＡＮに接続された医療用画像管理システムに、例えば手術室準備開始、手術の開始、手術の終了、手術室片付け終了の情報を付加した形式で、映像記録を行うことでき、手術終了までの見込み時間を、手術室内スタッフが病院内の医療関係者に対し、簡易にかつ正確に通知することが容易となる。
【００２２】
次に本発明に係る医療用画像管理システムについて具体例を挙げて詳細に説明する。
【実施例１】
【００２３】
本実施例では、手術室に設置し術場を撮影し映像化するＮＷカメラを利用する。手術を受ける患者の患者情報を取得するために、患者情報システムを利用する。手術室の映像配信等を閲覧するために、医療情報端末を使用する。なお、本実施例は、術野を映像化するＮＷカメラを利用する場合にも適用可能である。
【００２４】
（医療用画像管理システム）
図１は、本実施例に係る医療用画像管理システムに接続される機器の構成図である。図１に示すように、医療用画像管理システムには、病院内基幹情報ＬＡＮ１０１を介して、医療機器（モダリティ）１０２を用いて取得した医療用画像を、病院内の医療関係者が閲覧するための医療情報端末１０３が接続される。手術を受ける患者の患者情報を取得するために、患者情報システム１０４が接続される。
【００２５】
医療用画像管理システムには、病院内映像信号ＬＡＮ１０５を介して、手術室に設置し術場を撮影し映像化するＮＷ術場カメラ１０６が接続される。
【００２６】
本実施例に係る医療用画像管理システムの一システムである、ＮＷカメラ管理システム１０７と、本実施例に係る医療用画像管理システムの一システムである医療用画像管理院内システム１０８は、病院内基幹情報ＬＡＮ１０１を介して接続される。医療用画像管理院内システム１０８は、医療用画像管理クラウドシステム１０９と、公衆回線等インターネット回線１１０を介して接続される。  図２に図１における医療用画像管理システムの構成のうち、ＮＷカメラ管理システム１０７と医療用画像管理院内システム１０１の構成を詳細に示した図である。医療用画像管理システムは、ＮＷカメラ管理システム１０７と、医療用画像管理院内システム１０８と、医療用画像管理クラウドシステム１０９より構成される。
【００２７】
（ＮＷカメラ管理システム）
ＮＷカメラ管理システム１０７は、ＮＷカメラ映像受信部２０１と、配信用静止画像作成部２０２と、映像記録用映像作成送信部２０３と、ＮＷカメラ制御部２０４と、映像記録ストレージ２０５と、患者画像表示部２１７と、手術状況情報ストレージ２１８からなる。
【００２８】
（医療用画像管理院内システム）
医療用画像管理院内システム１０８は、医療画像受信部２１９と、医療画像表示部２２０と、配信用静止画像受信部２０６と、手術状況表示部２０７と、配信用画像配信部２０８と、患者情報表示部２０９と、患者情報取得部２１０と、患者情報ストレージ２１１と、院内映像記録ストレージ２１２と、手術状況情報ストレージ２１８と、院内ストレージ制御部２１３からなる。
医療用画像管理クラウドシステム１０９は、クラウドストレージ制御部２１４と、クラウド映像情報ストレージ２１６からなる。
【００２９】
図９のフローチャートを利用して、各手術室に設置されたＮＷ術場カメラ１０６画像出力を、病院内基幹情報ＬＡＮに接続された医療情報端末１０３で映像配信を視聴する機能の一例について説明する。
【００３０】
ステップＳ９０１において、ＮＷカメラ映像受信部２０１は、手術室其々に設置されたＮＷ術場カメラ１０６の映像を受信し、ステップＳ９０２において、前記カメラ映像を映像記録ストレージ２０５に映像記録する。続いてステップＳ９０３において、ＮＷカメラ映像受信部２０１は、同時に映像記録ストレージ２０５に過去１００日を超える映像記録は削除する。映像記録ストレージ２０５に占める映像記録の容量は変化しない。
【００３１】
ステップＳ９０４において、配信用静止画像作成部２０２は、映像記録ストレージ２０５にある動画像から、手術室其々の状況がわかるネットワーク送信負荷の低い最新の静止画を毎秒毎に生成し、病院内基幹情報ＬＡＮを通して、医療用画像管理院内システム１０８にある配信用静止画像受信部２０６に送信する。ステップＳ９０５において、配信用静止画像受信部２０６は、毎秒毎に映像記録ストレージ２１２に前記静止画を保存する。ステップＳ９０６において、配信用静止画像受信部２０６は、院内映像記録ストレージ２１２に保存されている現在時刻より過去１００秒を超える前記静止画は削除する。院内映像記録ストレージ２１２に占める配信用静止画像の容量は変化しない。ステップＳ９０７において、配信用画像配信部２０７は、毎秒毎に配信される前記静止画は、複数手術室タイル表示画面３０２と、手術室モニタ表示画面３０３にて、病院内基幹情報ＬＡＮのネットワークへ多大な負荷をかけることなく医療情報端末１０３で手術室の映像配信の視聴が可能となる。
【００３２】
（医療用画像表示）
図１３は、本実施例における医療用画像管理システムの医療用画像表示例を示す。
医療用画像の最上部には、患者ＩＤ、患者の性別、氏名、年齢といった患者情報を、マトリックスの行はそれぞれの医療機器、列は検査日を示し、該当する医療用画像が保存されている場合は、画像サムネイルが表示される。
【００３３】
医療機器１０２から送信された患者情報に紐付された医療用画像は、医療画像受信部２１９によって、患者情報ストレージ２１１に患者情報が、医療用画像は院内映像記録ストレージ２１２に格納される。
【００３４】
図１２に本実施例における患者情報ストレージ２１１に格納される患者情報のデータテーブル構成例を示す。医療機器１０２から患者ＩＤ１２３４５６のデータを受け取った場合には、患者ＩＤ１２３４５６のデータテーブルに、撮影日、医療機器種類、医療機器画像のメタデータが保存される。医療機器画像メタデータとは、各医療機器で撮影され画像の場合、該画像がＤＩＣＯＭ形式で出力された場合は、ＤＩＣＯＭファイル名、サムネイル名や、撮影時刻等である。ＮＷカメラの映像の場合は、ＮＷカメラのメタデータである。
【００３５】
病院内の医療関係者が患者ＩＤ１２３４５６の医療用画像を閲覧するために、医療情報端末１０３を操作した場合、医療画像表示部２２０は、患者情報ストレージ２１１の情報を用いて、図１３のような表示画面を生成する。
【００３６】
図１３で示される表示画面内の各画像サムネイルがクリックされた場合は、医療画像表示部２２０は院内映像記録ストレージ２１２より医療用画像を取得し、画像表示可能な閲覧ビューワを起動して医療情報端末１０３へ医療用画像の表示を行う。
【００３７】
（表示制御手段）
図３に本実施例における医療用画像管理システムの手術状況表示例を示す。
手術状況表示は３つの表示形態を有し、手術室状況表示画面３０１と、複数手術室タイル表示画面３０２と、手術室モニタ表示画面３０３からなる。いつでも、相互の画面の切り替えが可能である。
【００３８】
図５は本実施例における医療用画像管理システムの手術室状況表示画面３０１の表示例である。各手術室の、患者名、手術の経過時間、執刀医、診療科、手術室の状況を、一覧で表示する。
【００３９】
図１１は、手術状況情報ストレージに格納される手術状況情報１１０１の例示である。手術室状況表示画面３０１は常に更新される１１０１の状況データから１秒毎に状況画面を生成し再表示を行う。
【００４０】
図５の５０１ボタンを押すことにより、複数手術室タイル表示画面３０２に遷移することができる。各手術室に関する状況表示の行を押すことにより、手術室モニタ表示画面３０３に遷移することができる。手術室の状況は５０２に表示される。同一の手術室では図６の６０２、図７の７０３も同じ表示となる。なお、図６の５０２の中にある８個の白枠内には、現在の手術室の映像が表示される。同様に、図７において、７０２や７０３といった情報以外に、現在の手術室の映像が表示される。
【００４１】
図４は、実施例における医療用画像管理システムで表示される手術の状況を説明する表である。
【００４２】
図１０のフローチャートを利用して、手術室の状況遷移について説明する。
手術室内の状況は、手術室状況表示画面３０１では、５０２、６０２、７０３それぞれで、状況表示の表示状態となる。以下状況遷移について説明する。
まず手術室は、１００１に示すように、手術準備開始待ちの状態である。
次に手術室内スタッフが、患者の手術準備を開始すると、１００２に示すように手術準備中という状態になる。
【００４３】
次に手術室内スタッフが、患者を迎え入れて手術を開始すると、１００３に示すように手術中という状態になる。
【００４４】
次に手術室内スタッフが、手術中に残り時間を指示するボタンを押すと、１００４に示すように、状況表示は残り時間を表示する。
【００４５】
次に手術室内スタッフが、手術を終了すると、１００５に示すように、片付け中という状態になる。
【００４６】
次に手術室内スタッフが、片付けを終了すると、１００１の状態に戻り、片付け終了（または）手術準備開始待ち、という状況になる。図６は、本実施例における医療用画像管理システムの複数手術室タイル表示画面３０２の表示例である。各手術室の状況をタイル表示する。６０１ボタンを押すことにより、手術室状況表示画面３０１に遷移することができる。各手術室の画像をクリックすることにより、各手術室毎の手術室モニタ表示画面３０３に遷移することができる。手術室の状況は各手術室の６０２に表示される。同一の手術室では図５の５０２、図７の７０３も同じ表示となる。
【００４７】
図７は、本実施例における医療用画像管理システムの手術室モニタ表示画面３０３の表示例である。指定された手術室の状況をモニタ表示する。７０１ボタンを押すことにより、手術室状況表示画面３０１に遷移することができる。７０２ボタンを押すことにより、複数手術室タイル表示画面３０２に遷移することができる。手術室の状況は７０３に表示される。同一の手術室では図５の５０２、図６の６０２も同じ表示となる。
【００４８】
例えばＮＷ術野カメラでの映像記録では、手術位置に映像記録の画角を合わせることが望ましい。マウスのホイール操作と、背景画像を移動させる操作は、医療画像表示部２２０を通じて、ＮＷカメラ管理システムのＮＷカメラ制御部２０４によりＮＷ術場カメラ１１１の操作が可能である。マウスのホイールの操作を行うことで、ズームイン、ズームアウト操作が可能である。マウスにより背景画像を移動させる操作によって、パンチルト操作が可能である。次に、本実施例における医療用画像管理システムを構成する各機能部の説明を行う。
【００４９】
（手術状況表示システム）
従来、病院内の医療関係者は、手術終了予定時刻を、手術室全景の映像配信を視聴したり、手術予定表示システムに予め入力された手術予定を参照したりすることによって、手術の進捗状況を把握していた（特開２００７−１２２１７４）。しかし、従来のシステムでは、手術終了までの見込み時間を、手術室内スタッフが、病院内の医療関係者に対し、簡易にかつ正確に通知することが困難であった。そこで、下記の手術状況表示システムを用いることで、手術室準備開始、手術の開始、手術の終了、手術室片付け終了の情報を付加した形式で、映像記録を行うことでき、手術終了までの見込み時間を、手術室内スタッフが病院内の医療関係者に対し、簡易にかつ正確に通知することが容易となる。そこで、手術室の状況に関する情報（手術室の部屋名、手術の担当医、手術の担当診療科、手術する患者名、手術の経過時間、及び手術の状況に関する情報）を取得する取得手段と、前記情報の前記表示装置への表示を制御する表示制御手段と、を有する、手術室の状況に関する情報を表示可能な表示装置を提供することが、医療関係者の手術状況の把握に好適であることが見出された。また、手術の状況に関する情報が、手術中、手術終了までの残り時間、手術準備中、片付け中の何れかであるばよいが、これらに限定されない。
以下、詳細を説明する。
【００５０】
図１４は、図１２に示される患者情報ストレージ２１１に格納される患者情報のデータのうち、ＮＷカメラデータのメタデータ１２０１の構成例である。１４０１は手術室名が格納される。１４０２は、カメラの種別として、術場記録か、術野記録かが格納される。１４０２は手術準備開始時間が格納される。１４０３は手術準備終了で手術開始時間が格納される。１４０４は手術終了で片付け開始時間が格納される。１４０５は片づけ終了時間が開始される。
【００５１】
１４０３より１４０４の映像記録は、図１０の手術準備記録の映像記録１００６に該当する。手術準備記録の映像記録１００６が、ＮＷカメラ管理システムの映像記録ストレージ２０５にのみ保存されている場合は手術準備記録データの項目１４０７の項目は  “未保存”、医療用画像管理院内システムの院内映像記録ストレージ２１２に保存されている場合は“保存状態”、  医療用画像管理クラウドシステムの映像記録ストレージ２１４にのみ保存されている場合は“クラウド”と格納される。術場の映像記録は、手術準備記録が重要である。医療事故が起きた場合、例えば手術機材の動作事前確認が十分行われていたか、機材を間違いなく揃えたか等は、術前の記録がなければ記録として残らない。ＮＷカメラの種別が術野の場合、手術準備状態は記録の意味がないので手術準備記録データの項目１４０７  は“なし”と記録される。
【００５２】
１４０４より１４０５の映像記録は、図１０の手術記録の映像記録１００７に該当する。手術記録の映像記録１００７の保存状況に対応し手術記録データの項目１４０８状態は、“未保存”  “保存状態”  “クラウド”  “なし”のいずれかが記録される。
【００５３】
１４０５より１４０６の映像記録は、図１０の手術片付け記録１００８に該当する。手術片付け記録の映像記録１００８の保存状況に対応し手術片付け記録データの項目１４０９は、未保存”  “保存状態”  “クラウド”  “なし”のいずれかが記録される。医療事故が起きた場合、例えば手術機材の事後片付けで機材の不具合に気づいたか、術後の機材が間違いなく揃っているかのチェック実施有無等は、術後の記録がなければ記録として残らない。ＮＷカメラの種別が術野の場合、手術片付け状態は記録の意味がないので手術片付け記録データの項目１４０９  は“なし”と記録される。
【００５４】
次に、図８のフローチャートを利用して、本実施例における医療用画像管理システムの処理手順を説明する。
【００５５】
ステップＳ８０１において、手術室内スタッフは医療情報端末１０３より医療画像管理院内システム１０８の手術状況表示部２０８にアクセスし、手術状況表示画面３０１を医療情報端末１０３へ表示する。手術状況表示画面３０１の情報は、手術状況情報ストレージ２１８に格納される手術状況情報１１０１の状況データから１秒毎に状況画面を生成し再表示される。
【００５６】
ステップＳ８０２において、手術状況表示画面３０１の手術室の状況５０２から、“片付け終了”である手術室３を選択する。図１５に示されるように手術室モニタ表示画面３０３に遷移する。図１５の１５０１、１５０２といった表示の背景部分には、現在の手術室の映像が表示される。図１７〜１９、２３、２４においても、図７と同様に、現在の手術室の状況が表示される。
図４および図１０の１００１の状態に相当する。“片付け終了”手術室は「手術準備開始待ち」状態であり、手術を受ける患者が割り当てられていないため、患者を指定する患者情報入力画面１５０１が表示される患者ＩＤの入力が促される。
【００５７】
ステップＳ８０３において、患者ＩＤを入力すると、手術状況表示部２０８は患者ＩＤを元に病院内基幹情報ＬＡＮ上に接続された患者情報システム１０４に問い合わせを行い、患者の氏名、性別、生年月日等の患者基本情報、診療科、手術担当医等の情報を取得し、患者情報入力画面１５０１に表示がなされる（図１６）。患者情報システム１０４がない場合または接続できない場合は、患者情報入力画面１５０１に必要な患者情報を手入力してもよい。患者情報入力画面１５０１では準備監視ボタン５０２がクリック可能な状態となる（ステップＳ８０４）。手術の準備を開始するタイミングでボタン１５０２を押す。手術状況表示部２０８は、前記患者情報を基に、患者情報ストレージ２１１に格納される患者情報のデータへ、新たにＮＷカメラデータのメタデータが追記される。ボタン１５０２を押された時刻が図１４の手術準備開始時間１４０３として記録される。手術準備記録１４０７は“なし”、手術記録１４０８は“なし”、手術片付け記録１４０９は“なし”に初期設定される。図４および図１０の１００２の状態に遷移する。病続くステップＳ８０５では図４および図１０の１００２の状態であり、手術室モニタ表示画面３０３は、図７に示すように手術状況７０３は、“準備中”、７０４のボタンは“手術開始”への状態遷移を促す状態になる。院内基幹情報ＬＡＮに接続されている全ての医療情報端末１０３において、手術状況表示部によって手術状況を示す３０１，  ３０２，  ３０３の手術状況表示は全て、第三手術室の手術状況は“準備中”と表示され、手術室内スタッフは、病院内の医療関係者に第三手術室の手術状況を簡易に通知することが可能である。
【００５８】
手術室内スタッフは、患者および執刀医が入室し、手術が開始可能となり、手術を開始するタイミングで、“手術開始”ボタン７０４を押す（ステップＳ８０６）。“手術開始”ボタン７０４を押された時刻が図１４の手術開始時間１４０４として記録される。ＮＷカメラがＮＷ術場カメラの場合、手術準備記録１４０７は“未取得”と記録される。図４および図１０の１００３の状態に遷移する。
【００５９】
続くステップＳ８０７では図４および図１０の１００３の状態であり、手術室モニタ表示画面３０３は、図１７に示すように手術状況７０３は、“手術中”が表示される。手術時間が残り３０分となった場合に押す“残り３０分”ボタン１７０５、残り１０分”ボタン１７０６、手術終了時に押す“手術終了”ボタンが表示される。院内基幹情報ＬＡＮに接続されている全ての医療情報端末１０３において、手術状況表示部によって手術状況を示す３０１，  ３０２，  ３０３の手術状況表示は全て、第三手術室の手術状況は“手術中”と表示され、手術室内スタッフは、病院内の医療関係者に第三手術室の手術状況を簡易に通知することが可能である。
【００６０】
続くステップＳ８０８では、手術が進展し、手術の残り時間目安が約３０分となったタイミングで、手術室内スタッフは、“残り３０分”ボタン１７０５を押す。図４および図１０の１００４の状態に遷移する。
【００６１】
続くステップＳ８０９では図４および図１０の１００４の状態であり、手術室モニタ表示画面３０３は、図１８に示すように手術状況７０３は、“残り３０分”が表示される。「残り３０分」の表示は、１分経過するごとに、残り時間は１分ずつ減っていく。例えば１０分経過し「残り２０分」の表示となっている際に、“残り３０分”ボタン１７０５を押すと、手術状況７０３は、“残り３０分”に表示し直される。
【００６２】
残り３０分を告げるタイミングは、複数の手術室スケジュールを管理しているスケジュール管理者にとって、どの手術場が予定より早く終了し、緊急手術を入れる時間を確保できるか、あるいは手術予定時間よりも実際に終了時間の目安が早いのか遅いのか、目安を正確に把握するために、“残り３０分”の目安が通知されることは非常に有効である。
【００６３】
残り３０分を告げるタイミングは、当該の手術場で次の手術を予定している医師にとって、現在医局や会議室や診療室で従事している仕事を終了させる目安を知る上で、“残り３０分”の目安が通知されることは非常に有効である。
【００６４】
残り３０分を告げるタイミングは、当該の手術場で次の手術を予定している患者を管理する看護師にとって、患者に手術時間前に実施する手術開始時間が予定通りか、遅れるかを知ることができ、手術直前の清拭、鎮静剤の投与等を始めるため、“残り３０分”の目安が通知されることは非常に有効である。
【００６５】
残り３０分を告げるタイミングは、当該の手術場で次の手術を受けている患者を管理する看護師にとって、患者を迎えに行く時間までにできる業務の調整が可能となり、“残り３０分”の目安が通知されることは非常に有効である。
【００６６】
残り３０分を告げるタイミングは、手術リカバリ室、ＩＣＵ室等患者移送が必要な特別病棟を管理する管理者にとって、ベッドや医療器材の準備等、“残り３０分”の目安が通知されることは非常に有効である。
【００６７】
残り３０分を告げるタイミングは、患者の家族や関係者と接しているスタッフにとって、手術時間の終了の目安が予定通りなのか、早いのか遅いのかを告げるうえで、“残り３０分”の目安が通知されることは非常に有効である。
【００６８】
残り３０分を告げるタイミングは、その他院内関係者にとって大変利用価値の高い情報であり、“残り３０分”の目安が院内基幹情報ＬＡＮに接続されている全ての医療情報端末１０３において、簡易に通知されることは非常に有効である。
【００６９】
続くステップＳ８１０では、手術が進展し、手術の残り時間目安が約１０分となったタイミングで、手術室内スタッフは、“残り１０分”ボタン１７０６を押す。図４および図１０の１００４の状態は変わらない。
【００７０】
続くステップＳ８１１では図４および図１０の１００４の状態であり、手術室モニタ表示画面３０３は、図１７に示すように手術状況７０３は、“残り１０分”が表示される。「残り１０分」の表示は、１分経過するごとに、残り時間は１分ずつ減っていく。例えば５分経過し「残り５分」の表示となっている際に、“残り１０分”ボタン１７０６を押すと、手術状況７０３は、“残り１０分”に表示し直される。
【００７１】
残り１０分を告げるタイミングは、複数の手術室スケジュールを管理しているスケジュール管理者にとって、どの手術場が一番早く終了し、片付けを行う人員配置を行うか、医療機器片付けや次の術場へ医療機器を運搬する機材の種類とタイミング、を正確に把握するために、“残り１０分”の目安が通知されることは非常に有効である。
【００７２】
残り１０分を告げるタイミングは、当該の手術場で次の手術を予定している医師にとって、実際に術場に向かう必要があり、“残り１０分”の目安が通知されることは非常に有効である。
【００７３】
残り３０分を告げるタイミングは、当該の手術場で次の手術を予定している患者を管理する看護師にとって、病棟より患者を手術室に送りだしをするため、“残り１０分”の目安が通知されることは非常に有効である。
【００７４】
残り１０分を告げるタイミングは、当該の手術場で次の手術を受けている患者を管理する看護師にとって、実際に患者を迎えに行く必要があり、“残り１０分”の目安が通知されることは非常に有効である。
【００７５】
残り１０分を告げるタイミングは、手術リカバリ室、ＩＣＵ室等患者移送が必要な特別病棟を管理する管理者にとって、どの患者が次に運び込まれてくるか、ベッドや医療器材の準備等、“残り１０分”の目安が通知されることは非常に有効である。
【００７６】
残り１０分を告げるタイミングは、患者の家族や関係者と接しているスタッフにとって、手術時間の終了の目安が予定通りなのか、早いのか遅いのかを告げるうえで、“残り１０分”の目安が通知されることは非常に有効である。
【００７７】
残り１０分を告げるタイミングは、その他院内関係者にとって大変利用価値の高い情報であり、“残り１０分”の目安が院内基幹情報ＬＡＮに接続されている全ての医療情報端末１０３において、簡易に通知されることは非常に有効である。
【００７８】
手術室内スタッフは、手術が終了したタイミングで、“手術終了”ボタン１７０７を押す。（ステップＳ８１２）。“手術終了”ボタン１７０７を押された時刻が図１４の手術終了時間１４０５として記録される。手術記録１４０８は“未取得”と記録される。図４および図１０の１００５の状態に遷移する。
【００７９】
続くステップＳ８１３では図４および図１０の１００５の状態であり、手術室モニタ表示画面３０３は、図１９に示すように手術状況７０３は、“片付け中”が表示される。手術片付け終了時に押す“片付け終了”１９０８ボタンが表示される。
【００８０】
院内基幹情報ＬＡＮに接続されている全ての医療情報端末１０３において、手術状況表示部によって手術状況を示す３０１，  ３０２，  ３０３の手術状況表示は全て、第三手術室の手術状況は“片付け中”と表示され、手術室内スタッフは、病院内の医療関係者に第三手術室の手術状況を簡易に通知することが可能である。
【００８１】
手術室内スタッフは、手術室の片付けが終了したタイミングで、“片付け終了”ボタン１９０８を押す。（ステップＳ８１４）。“片付け終了”ボタン１８０８を押された時刻が図１４の片付け終了時間１４０６として記録される。ＮＷカメラがＮＷ術場カメラの場合、手術片付け記録１４０９は“未取得”と記録される。図４および図１０の１００１の状態に遷移する。
【００８２】
続くステップＳ８１５は、図１０の１００１の状態に相当し、図５および図１５の状況に戻る。
【００８３】
続くステップＳ８１３では、図１３に示されるように、医療画像表示部２２０の表示形態である医療用画像表示に、患者の手術記録１００６が映像記録として存在することを示す。術場カメラの映像がある場合は１３０２、術野カメラの映像記録がある場合は１３０３として表示がされる。非表示医療画像を開くボタン１３０２を押すと画面が図２０に示すような表示となり、術場手術準備映像記録は２００２、術場手術片付け映像記録は２２０３にアイコンが表示される。
【００８４】
次に、図２１のフローチャートを利用して、本実施例における医療用画像管理システムの定期自動映像記録保存および削除について説明する。
【００８５】
手術室の映像記録は、ＮＷカメラを病院内基幹情報ＬＡＮに直接接続すると、映像配信にネットワークの帯域の大半を占有してしまい病院業務時間に診療業務に深刻な影響がでる。病院内映像信号ＬＡＮ  １０５のＮＷカメラ管理システム１０７の映像ストレージ２０５に映像記録が最初の段階として蓄積される。
【００８６】
Ｓ２１０１ステップとして、夜間の午前１時に、院内ストレージ制御部２１３は以下の動作を行う。
【００８７】
先ず院内ストレージ制御部２１３は、患者情報ストレージ２１１を検索し、午前１時までに更新されたＮＷカメラメタデータを参照し、各ＮＷカメラメタデータの属性で、手術準備記録、手術記録、手術片付け記録の状態が“未取得”となっている映像記録を見つける。（Ｓ２１０２ステップ）。
【００８８】
院内ストレージ制御部２１３は、前記“未取得”の手術準備記録、手術記録、手術片付け記録の其々の映像記録を、ＮＷカメラ管理システム１０７の映像記録用映像作成送信部２０３によって映像記録ストレージの映像記録から其々の開始時間終了時間で編集された映像記録を作成し送信し、院内映像記録ストレージ２１２にコピーを行う。（Ｓ２１０３ステップ）。
【００８９】
院内ストレージ制御部２１３は、前記“未取得”の手術準備記録、手術記録、手術片付け記録の其々の映像記録を、院内映像記録ストレージ２１２から、クラウドストレージ制御部２１４を経由しクラウド映像記録ストレージ２１６にコピーを行う。（Ｓ２１０４ステップ）。
【００９０】
院内ストレージ制御部２１３は、前記“未取得”の手術準備記録、手術記録、手術片付け記録の其々の映像記録の属性を、“保存状態”に変更し、ファイル名を記録する（Ｓ２１０５ステップ）。
【００９１】
次に、患者情報ストレージ２１１を検索し、午前１時までに更新されたＮＷカメラメタデータを参照し、各ＮＷカメラメタデータの属性で、手術準備記録、手術記録、手術片付け記録の状態が“保存状態”で、コピー後１年以上経過している映像記録を見つける。（Ｓ２１０６ステップ）。
【００９２】
院内ストレージ制御部２１３は、前記“保存状態”で１年以上経過している手術準備記録、手術記録、手術片付け記録の其々の映像記録を、院内映像記録ストレージ２１２から削除を行う。（Ｓ２１０７ステップ）。
【００９３】
院内ストレージ制御部２１３は、前記“保存状態”で１年以上経過している手術準備記録、手術記録、手術片付け記録の其々の映像記録の属性を、“クラウド”に変更する（Ｓ２１０８ステップ）。
【００９４】
こうすることにより、術室の映像記録は、病院業務が実施されることが最も少ない夜間の午前１時に、院内ストレージ制御部２１３によって、前記映像ストレージ２０５より医療用画像管理院内システム１０８に、患者情報に紐づけた形でコピーされる。手術室の映像記録は、院内映像ストレージ２１２に映像記録がコピーされて１年が経過すると、院内映像ストレージ２１２の映像記録が削除され、クラウドのみに保管される。
【００９５】
次に、図２２のフローチャートを利用して、本実施例における医療用画像管理システムの映像記録の参照について記述する。
【００９６】
Ｓ２２０１ステップとして、医療画像表示部２２０の表示形態である医療用画像表示から患者の映像記録を参照された場合、院内ストレージ制御部２１３は参照された映像記録の属性について、患者情報ストレージ２１１を参照する。
【００９７】
院内ストレージ制御部２１３は、前記参照した属性が“未取得”であった場合（Ｓ２０１２ステップ）、ＮＷカメラ管理システム１０７の映像記録用映像作成送信部２０３によって映像記録ストレージの映像記録から其々の開始時間終了時間で編集された映像記録を作成し送信し、院内映像記録ストレージ２１２にコピーを行う。（Ｓ２２０３ステップ）。続いて院内ストレージ制御部２１３は、前記“未取得”の映像記録の属性を、“保存状態”に変更し、ファイル名を記録する（Ｓ２２０４ステップ）。
【００９８】
院内ストレージ制御部２１３は、前記参照した属性が“クラウド”であった場合（Ｓ２０１５ステップ）、クラウド映像記録ストレージ２１６から、クラウドストレージ制御部２１４を経由し院内映像記録ストレージ２１２にコピーを行う（Ｓ２２０６ステップ）。
【００９９】
続いて院内ストレージ制御部２１３は、前記“未取得”の映像記録の属性を、“保存状態”に変更する（Ｓ２２０７ステップ）。
【０１００】
医療画像表示部２２０の表示形態である医療用画像表示から院内映像記録ストレージ２１２に保存状態にある映像記録を参照する（Ｓ２２０８）。
【０１０１】
こうすることにより、手術室の映像記録は、医療用画像管理院内システム１０８に映像記録がコピーされる前に、医療画像表示部２２０の表示形態である医療用画像表示から前記映像記録を参照された場合、前記映像ストレージ２０５より医療用画像管理院内システム１０８の院内映像ストレージ２１２に、患者情報に紐づけた形でコピーされる。医療画像表示部２２０の表示形態である医療用画像表示から院内映像記録ストレージ２１２に保存状態にある映像記録を参照する
手術室の映像記録は、院内映像ストレージ２１２に映像記録がコピーされて１年が経過し院内映像ストレージ２１２の映像記録が削除されてしまっている場合、医療画像表示部２２０の表示形態である医療用画像表示から前記映像記録を参照された場合、クラウド映像ストレージ２１６より医療用画像管理院内システム１０８に、患者情報に紐づけた形でコピーされる。医療画像表示部２２０の表示形態である医療用画像表示から院内映像記録ストレージ２１２に保存状態にある映像記録を参照する
以上により、病院内映像信号ＬＡＮ上にある手術室の多数のネットワークカメラの映像出力を、医療情報端末等が接続される病院内基幹情報ＬＡＮ上の医療情報端末で、病院業務時間に、映像配信を視聴することができる。
【０１０２】
また、前記多数のネットワークカメラの映像出力を、医療情報端末等が接続される病院内基幹情報ＬＡＮに接続された医療用画像管理システムに、例えば手術室準備開始、手術の開始、手術の終了、手術室片付け終了の時間情報を付加した形式で、手術室全景（術場）の映像記録や手術部位（術野）の映像記録を行うことができる。
【０１０３】
また、手術終了までの見込み時間を、手術室内スタッフが、病院内の医療関係者に対し、簡易にかつ正確に通知することができる。
【実施例２】
【０１０４】
実施例１では、手術室のＮＷカメラを、ＮＷ術場カメラ、またはＮＷ術野カメラとしての例示を行った。しかしながら、同一の手術室にて、ＮＷ術場カメラとＮＷ術野カメラの合計２台を同時に映像記録しても、映像記録の配信と、院内映像記録ストレージへの映像記録が可能である。
【０１０５】
ＮＷ術場カメラとＮＷ術野カメラを動作させる場合、手術室モニタ表示画面の好適な構成例を図２３に示す。術場画像を背景に、術野画像２３０１を右端に示す。
【０１０６】
術野画像の表示を主たる表示に切り替えたい場合は、２３０１の画像をクリックすると、図２４の表示に遷移する。図２４においては、２４０１の画像をクリックすると図２３の表示状態に遷移する。
【実施例３】
【０１０７】
上記実施例２においてＮＷ術野カメラの代わりに、例えば内視鏡手術や顕微鏡手術において、内視鏡や顕微鏡と接続されたＮＷエンコーダーを利用しても、同じ実施形態が実現可能である。
【０１０８】
（その他の実施例）
上記のそれぞれの実施形態は、本発明を医療用画像管理システムとして実現したものである。しかしながら、本発明の実施形態は医療用画像管理システムのみに限定されるものではない。本発明は、例えば、複数の機器から構成されるシステム、一つの機器からなる装置、コンピュータ上で動作するソフトウェアやプログラム、もしくは光ディスクなどの記憶媒体等としての実施態様をとることが可能である。
【符号の説明】
【０１０９】
１０１  病院内映像信号ＬＡＮ
１０２  医療機器（モダリティ）
１０３  医療情報端末
１０４  患者情報システム
１０５  病院内映像信号ＬＡＮ
１０６  ＮＷカメラ術場
１０７  ＮＷカメラ管理システム
１０８  医療用画像管理院内システム
１０９  医療用画像管理クラウドシステム
１１０  インターネット回線
１１１  ＮＷカメラ術野
２０１  ＮＷカメラ映像受信部
２０２  配信用静止画像作成送信部
２０３  映像記録用映像作成送信部
２０４  ＮＷカメラ制御部
２０５  映像記録ストレージ
２０６  配信用静止画像受信部
２０７  手術状況表示部
２０８  配信用画像配信部
２０９  患者情報表示部
２１０  患者情報取得部
２１１  患者情報ストレージ
２１２  院内映像記録ストレージ
２１３  院内ストレージ制御部
２１４  クラウドストレージ制御部
２１６  クラウド映像記録ストレージ
２１８  手術状況情報ストレージ
２１９  医療画像受信部
２２０  医療画像表示部
【図１】
2017192043.tif 000003
【図２】
2017192043.tif 000004
【図３】
2017192043.tif 000005
【図４】
2017192043.tif 000006
【図５】
2017192043.tif 000007
【図６】
2017192043.tif 000008
【図７】
2017192043.tif 000009
【図８】
2017192043.tif 000010
【図９】
2017192043.tif 000011
【図１０】
2017192043.tif 000012
【図１１】
2017192043.tif 000013
【図１２】
2017192043.tif 000014
【図１３】
2017192043.tif 000015
【図１４】
2017192043.tif 000016
【図１５】
2017192043.tif 000017
【図１６】
2017192043.tif 000018
【図１７】
2017192043.tif 000019
【図１８】
2017192043.tif 000020
【図１９】
2017192043.tif 000021
【図２０】
2017192043.tif 000022
【図２１】
2017192043.tif 000023
【図２２】
2017192043.tif 000024
【図２３】
2017192043.tif 000025
【図２４】
2017192043.tif 000026